(57)【要約】【課題】  本発明は、採光用トップライトのガラス面のシール部が長期的に劣化して切れ大量の雨水が浸入しても排出可能な水抜き穴の面積を確保出来且つ、台風時には、吹き込んだ雨水が逆流することがなくメンテナンス工事として後設置も可能で美観及び施工性が良いトップライトの水抜き部品を提供することを可能にすることを目的としている。【解決手段】  水抜き部品３の中空筐体は採光用トップライト１の水抜き穴２ｂに対応する部分に水受入口３ａを設けると共に、該中空筐体の下部に水受入口３ａに連通された水排出口３ｂを設け、該水受入口３ａから水排出口３ｂへ至る通路に逆止弁となる羽根板５を設けて構成したことを特徴とする。【選択図】      図１
2008121405.tif 000002
【特許請求の範囲】
【請求項１】
最下部に水抜き穴が設けられた下枠の最下部またはその近傍の外面形状に対応する外形形状の面を有する中空筐体からなる水抜き部品であって、
前記水抜き部品の中空筐体は、前記下枠の水抜き穴に対応する部分に水受入口を設けると共に、該中空筐体の下部に前記水受入口に連通された水排出口を設け、前記水受入口から前記水排出口へ至る通路に逆止弁を設けたことを特徴とする下枠の水抜き部品。
【請求項２】
前記中空筐体は断面Ｌ字形状で構成され、該中空筐体の垂直部の前記下枠の水抜き穴側に前記水受入口が設けられると共に、該中空筐体の水平部の先端に前記水排出口が設けられ、且つ該中空筐体の水平部の底面は該水排出口に向かって下り勾配に形成されたことを特徴とする請求項１に記載の下枠の水抜き部品。
【請求項３】
前記逆止弁から前記水排出口に至るまでに所定長さの通路を設けたことを特徴とする請求項１または請求項２に記載の下枠の水抜き部品。
【請求項４】
前記中空筐体の垂直部には、前記下枠に該中空筐体を取り付けるためのビス孔を設けたことを特徴とする請求項２に記載の下枠の水抜き部品。
【請求項５】
前記中空筐体の垂直部の天面は、前記下枠の外面から連続的に下り勾配に形成されたことを特徴とする請求項２に記載の下枠の水抜き部品。
【請求項６】
前記逆止弁は前記中空筐体に対して回動自在に軸支された羽根板を有し、該羽根板が前記水排出口から吹き込む風圧を受けた際には該羽根板は当接部材に当接して前記水排出口から前記水受入口へ至る通路を遮断し、該羽根板が前記水受入口から前記水排出口へ流れる水流により押圧された場合には該羽根板が回動して前記水受入口から前記水排出口へ至る通路が開通状態になることを特徴とする請求項１〜５の何れか１項に記載の下枠の水抜き部品。
【請求項７】
前記中空筐体は箱型で断面縦長の形状で構成され、該中空筐体の垂直部の前記下枠の水抜き穴側に前記水受入口が設けられると共に、該中空筐体の前記水受入口側の垂直部の下端または該水受入口と反対側の垂直部の下端に前記水排出口が設けられ、該水排出口に通常時は閉状態で水流により開状態に遷移する逆止弁を取りつけたことを特徴とする請求項１に記載の下枠の水抜き部品。
【請求項８】
前記逆止弁から前記水受入口に至るまでの垂直空間の通路に、前記水排出口の上方かつ前記水受入口の下方の位置に該通路を部分的に塞ぐほぼ水平な邪魔板を設けたことを特徴とする請求項７に記載の下枠の水抜き部品。
【請求項９】
前記逆止弁は板状で前記水排出口の上枠から垂下し、通常時は閉状態で水流により開状態に遷移することを特徴とする請求項７または請求項８に記載の下枠の水抜き部品。
【請求項１０】
前記下枠は、トップライトの下枠または笠木の下枠であることを特徴とする請求項１〜９の何れか１項に記載の下枠の水抜き部品。
【発明の詳細な説明】
【技術分野】
【０００１】
本発明は、住宅等の建物の勾配屋根や陸屋根に設けられる採光用トップライト並びに腰壁に設けられる笠木等の屋外に面する金属製の下枠の内部空間に発生する溜水を排出するための水抜き部品に関するものである。
【背景技術】
【０００２】
従来、住宅等の建物の屋根或いは屋上に設けられる採光用トップライトのガラス面のシール部が劣化して、そこから雨水が吹き込んで採光用トップライト内に浸透する状態になった場合のために、採光用トップライトの最下部に水抜き穴が形成されており、この水抜き穴から採光用トップライト内に吹き込んだ雨水を排水するようになっている。
【０００３】
建物の所有者が採光用トップライトのガラス面のシール部が劣化して切れ、雨水が浸透する状態になる前の適切な時期にシール部の交換等を実施する場合には問題は無いが、メンテナンス時期が遅れてシール部の劣化がひどくなると台風等の大雨のときに採光用トップライト内に大量の雨水が浸入して、通常の小さい水抜き穴の開口面積では雨水の排出量よりも浸入量の方が多くなり、雨水受けを溢れて室内の雨漏れに至る場合がある。
【０００４】
しかしながら、大きな水抜き穴をあけると、表面に水切り板を設置した程度の従来の構造では、台風時にはその水抜き穴から雨水が逆流して室内の雨漏れになる為、逆効果になり、余り大きな開口面積の水抜き穴を設置していないのが現状である。
【０００５】
そのため、採光用トップライトのガラス面のシール部が長期的に劣化して切れ大量の雨水が浸入しても排出可能な水抜き穴の面積を確保出来且つ、台風時には、吹き込んだ雨水が逆流しない構造が求められている。
【０００６】
また、ベランダ等の腰壁の上端に設けられる笠木の下枠の内部空間にも同様に笠木の継ぎ目や上部に取り付けられる手摺との接続部からの雨水が溜まることがあり、水抜きを簡単に出来る構造が求められている。
【０００７】
例えば、特開平１１−２９１７５５号公報には、車両用ウインドサッシュにおける引き違いガラス窓下の水抜き構造で逆止弁が使用された一例が示されている。
【０００８】
【特許文献１】特開平１１−２９１７５５号公報
【発明の開示】
【発明が解決しようとする課題】
【０００９】
しかしながら、前述の従来例では、採光用トップライトや笠木内に浸入した雨水の排水構造には適用出来ないという問題があった。
【００１０】
本発明は前記課題を解決するものであり、その目的とするところは、例えば採光用トップライトのガラス面のシール部が長期的に劣化して切れ大量の雨水が浸入しても排出可能な水抜き穴の面積を確保出来且つ、台風時には、吹き込んだ雨水が逆流することがなくメンテナンス工事として後設置も可能で美観及び施工性が良いトップライトや笠木等の下枠の水抜き部品を提供せんとするものである。
【課題を解決するための手段】
【００１１】
前記目的を達成するための本発明に係る下枠の水抜き部品の第１の構成は、最下部に水抜き穴が設けられた下枠の最下部またはその近傍の外面形状に対応する外形形状の面を有する中空筐体からなる水抜き部品であって、前記水抜き部品の中空筐体は、前記下枠の水抜き穴に対応する部分に水受入口を設けると共に、該中空筐体の下部に前記水受入口に連通された水排出口を設け、前記水受入口から前記水排出口へ至る通路に逆止弁を設けたことを特徴とする。
【００１２】
また、本発明に係る下枠の水抜き部品の第２の構成は、前記第１の構成において、前記中空筐体は断面Ｌ字形状で構成され、該中空筐体の垂直部の前記下枠の水抜き穴側に前記水受入口が設けられると共に、該中空筐体の水平部の先端に前記水排出口が設けられ、且つ該中空筐体の水平部の底面は該水排出口に向かって下り勾配に形成されたことを特徴とする。
【００１３】
また、本発明に係る下枠の水抜き部品の第３の構成は、前記第１、第２の構成において、前記逆止弁から前記水排出口に至るまでに所定長さの通路を設けたことを特徴とする。
【００１４】
また、本発明に係る下枠の水抜き部品の第４の構成は、前記第２の構成において、前記中空筐体の垂直部には、前記下枠に該中空筐体を取り付けるためのビス孔を設けたことを特徴とする。
【００１５】
また、本発明に係る下枠の水抜き部品の第５の構成は、前記第２の構成において、前記中空筐体の垂直部の天面は、前記下枠の外面から連続的に下り勾配に形成されたことを特徴とする。
【００１６】
また、本発明に係る下枠の水抜き部品の第６の構成は、前記第１〜５の構成において、前記逆止弁は前記中空筐体に対して回動自在に軸支された羽根板を有し、該羽根板が前記水排出口から吹き込む風圧を受けた際には該羽根板は当接部材に当接して前記水排出口から前記水受入口へ至る通路を遮断し、該羽根板が前記水受入口から前記水排出口へ流れる水流により押圧された場合には該羽根板が回動して前記水受入口から前記水排出口へ至る通路が開通状態になることを特徴とする。
【００１７】
また、本発明に係る下枠の水抜き部品の第７の構成は、前記第１の構成において、前記中空筐体は箱型で断面縦長の形状で構成され、該中空筐体の垂直部の前記下枠の水抜き穴側に前記水受入口が設けられると共に、該中空筐体の前記水受入口側の垂直部の下端または該水受入口と反対側の垂直部の下端に前記水排出口が設けられ、該水排出口に通常時は閉状態で水流により開状態に遷移する逆止弁を取りつけたことを特徴とする。
【００１８】
また、本発明に係る下枠の水抜き部品の第８の構成は、前記第７の構成において、前記逆止弁から前記水受入口に至るまでの垂直空間の通路に、前記水排出口の上方かつ前記水受入口の下方の位置に該通路を部分的に塞ぐほぼ水平な邪魔板を設けたことを特徴とする。
【００１９】
また、本発明に係る下枠の水抜き部品の第９の構成は、前記第７、第８の構成において、前記逆止弁は板状で前記水排出口の上枠から垂下し、通常時は閉状態で水流により開状態に遷移することを特徴とする。
【００２０】
また、本発明に係る下枠の水抜き部品の第１０の構成は、前記第１〜第９の構成において、前記下枠は、トップライトの下枠または笠木の下枠であることを特徴とする。
【発明の効果】
【００２１】
上記構成によれば、住宅等の建物の勾配屋根や陸屋根に設けられる採光用トップライト並びに腰壁に設けられる笠木等の屋外に面する金属製の下枠の内部空間に発生する溜水を排出を排出することが出来る。
【００２２】
例えば採光用トップライトの下枠に設けた場合には、特にメンテナンス工事のとき後から取り付ける水抜き部品として有効で、採光用トップライトの下部に設置して、ガラス面や枠接合部にシール切れ部から採光用トップライトの内側に浸入した雨水を外部に排出すると共に、逆止弁により強風時に雨水が水抜き穴から逆流することを防ぐことが可能にするものである。
【００２３】
しかも新築時であっても改修時であっても施工可能で美観も違和感が無いものでもある。メンテナンス工事でも可能なように、採光用トップライトの最下部に開口面積の大きい、即ち、大量の雨水が浸入しても排出可能な面積を確保した水抜き穴を施工して、長期的にガラス面のシールが切れて雨水が浸入しても、室内に漏れることが無く、水抜き穴から排出出来、且つ台風時に逆流して室内に雨漏れ状態になることを防ぐことが出来る。
【００２４】
また、採光用トップライト下枠の水抜き穴の開口部形状や採光用トップライトの下部周辺の建物の構成部品の納まりや形状に柔軟に対応することが出来る。
【００２５】
また、逆止弁から水受入口に至るまでの垂直空間の通路に、水排出口の上方かつ水受入口の下方の位置に該通路を部分的に塞ぐほぼ水平な邪魔板を設けた場合には、ごみ詰まり等により逆止弁の動作が不完全な場合であっても該邪魔板により強風時に雨水が水抜き穴から逆流することを防ぐことが出来る。
【発明を実施するための最良の形態】
【００２６】
図により本発明に係る下枠の水抜き部品の一実施形態を具体的に説明する。先ず、図１〜図３を用いて本発明に係る下枠の水抜き部品を採光用トップライト下枠に適用した場合の第１実施形態の構成について説明する。図１は本発明に係る下枠の水抜き部品の第１実施形態を採光用トップライトの最下部に設けた様子を示す断面説明図、図２は本発明に係る下枠の水抜き部品の第１実施形態の構成を示す斜視説明図、図３は本発明に係る下枠の水抜き部品の第１実施形態の構成を示す図２のＡ−Ａ断面説明図である。
【００２７】
図１において、１はガラス面等で構成される住宅等の建物の勾配屋根に設けられる採光用トップライトの下側の部分であり、２は採光用トップライト１のサッシ枠である。サッシ枠２の下部周縁部には水受け部２ａが設けられており、該水受け部２ａの周縁部の最下部に水抜き穴２ｂが形成されている。
【００２８】
３は最下部に水抜き穴２ｂが設けられた採光用トップライト１の最下部またはその近傍の外面形状に対応する外形形状の面を有する中空筐体からなる水抜き部品である。本実施形態の水抜き部品３は例えば板厚２mm程度の硬質塩化ビニル製で作成されている。他に鋼材製の金属で作成しても良い。
【００２９】
図２及び図３に示すように、水抜き部品３の中空筐体は採光用トップライト１の水抜き穴２ｂに対応する部分に水受入口３ａが設けられ、該中空筐体の下部に水受入口３ａに連通された水排出口３ｂを設け、該水受入口３ａから水排出口３ｂへ至る通路４に逆止弁となる羽根板５が設けられている。
【００３０】
水抜き部品３を構成する中空筐体は断面Ｌ字形状で構成されており、該中空筐体の垂直部３ｃの採光用トップライト１の水抜き穴２ｂ側に水受入口３ａが設けられている。本実施形態の水抜き穴２ｂは例えば板厚２mmのサッシ枠２に直径８mmの穴が１５個程度設けられている。
【００３１】
また、水抜き部品３の中空筐体の水平部３ｄの先端には水排出口３ｂが設けられている。本実施形態の水排出口３ｂは例えばメッシュで縦横３mm×３mmの穴を形成したものである。また、水抜き部品３の中空筐体の水平部３ｄの底面3d1は先端の水排出口３ｂに向かって下り勾配に形成されている。採光用トップライト１のシール切れ部が大きくなるとそこから砂や排気ガス等の微粒子が入り込むがその排水を円滑にするため下り勾配である。しかし、この勾配はなくても良い。
【００３２】
逆止弁となる羽根板５は水抜き部品３の中空筐体に対して支軸５ａを中心にして回動自在に軸支されており、水抜き部品３の水平部３ｄの水排出口３ｂと反対側の端部に設けられた羽根板５から該水排出口３ｂに至るまでに所定長さの通路４ａが設けられている。本実施形態の通路４ａは２０mm程度の長さを有して構成したものである。
【００３３】
水抜き部品３の中空筐体の垂直部３ｃには、採光用トップライト１のサッシ枠２に該中空筐体を取り付けるためのビス孔７が設けられており、該ビス孔７に固定部材となるステンレス製のタッピングビス８を挿通してサッシ枠２にねじ込んで固定することにより採光用トップライト１の外表面に水抜き部品３の外表面が面接触して確実に固定される。
【００３４】
水抜き部品３の中空筐体の垂直部３ｃの天面3c1は、採光用トップライト１の外面から連続的に下り勾配に形成されており、該天面3c1に沿って雨水を外部に排出することが出来る。
【００３５】
通路４内に設けられた逆止弁となる羽根板５は、図３に示すように垂下した姿勢では該羽根板５の先端部と水平部３ｄの底面3d1との間に２mm程度の隙間が形成されており、水排出口３ｂから吹き込む風圧を受けた際には該羽根板５は水平部３ｄの底面3d1に設けられた当接部材９に当接して水排出口３ｂから水受入口３ａへ至る通路４を遮断して台風等による吹込みによる雨水の逆流を防止して室内への水漏れを防止することが出来る。
【００３６】
また、羽根板５が水受入口３ａから水排出口３ｂへ流れる水流により押圧された場合には該羽根板５が支軸５ａを中心に図３の反時計回り方向に回動して水受入口３ａから水排出口３ｂへ至る通路４が開通状態になり、水受入口３ａから水排出口３ｂへ雨水を排水することが出来る。
【００３７】
上記構成により、メンテナンス工事のとき後から取り付ける水抜き部品３として有効で、先ず採光用トップライト１の下枠Ａの下部周縁部の室外側垂直部分に正面からドリル等で水抜き穴２ｂを空けて置き、次に水抜き部品３を採光用トップライト１の下部に設置して、ガラス面や枠接合部にシール切れ部から採光用トップライト１の内側に浸入した雨水を外部に排出すると共に、逆止弁となる羽根板５により強風時に雨水が水抜き穴２ｂから逆流することを防ぐことが出来る。
【００３８】
しかも新築時であっても改修時であっても施工可能で美観も違和感が無く、メンテナンス工事でも可能なように採光用トップライト１の最下部に開口面積の大きい水抜き穴２ｂを施工して長期的にガラス面のシールが切れて雨水が浸入しても、室内に漏れることが無く、水抜き穴２ｂから排出出来、且つ台風時に逆流して室内に雨漏れ状態になることを防ぐことが出来る。
【００３９】
次に図４〜図７を用いて本発明に係る下枠の水抜き部品を採光用トップライトの下枠に適用した場合の第２実施形態の構成について説明する。図４（ａ）は本発明に係る下枠の水抜き部品の第２実施形態を採光用トップライトの最下部に設けた様子を示す断面説明図、図４（ｂ）は図４（ａ）の部分拡大図、図５は本発明に係る下枠の水抜き部品の第２実施形態の構成を示す斜視説明図、図６は本発明に係る下枠の水抜き部品の第２実施形態の構成を示す六面図、図７は通路を部分的に塞ぐほぼ水平な邪魔板の他の構成を示す斜視図である。尚、前記第１実施形態と同様に構成したものは同一の符号を付して説明を省略する。
【００４０】
図４〜図６において、本実施形態の中空筐体からなる水抜き部品３は箱型で断面縦長の形状で構成され、該中空筐体の垂直部３ｃの採光用トップライト１の下枠Ａの水抜き穴２ｂ側に水受入口３ａが設けられると共に、該中空筐体の水受入口３ａ側の垂直部３ｃの下端または該水受入口３ａと反対側の垂直部３ｃの下端に水排出口３ｂが設けられ、該水排出口３ｂに通常時は閉状態で水流により開状態に遷移する逆止弁となる羽根板５が支軸５ａを中心に回動自在に取りつけられている。
【００４１】
本実施形態では、水受入口３ａと反対側の垂直部３ｃの下端に水排出口３ｂが設けられた場合について図示したが、前記第１実施形態と同様に中空筐体の水受入口３ａ側の垂直部３ｃの下端に水排出口３ｂを設けることでも良い。
【００４２】
逆止弁となる羽根板５から水受入口３ａに至るまでの垂直空間の通路４ｂには水排出口３ｂの上方かつ水受入口３ａの下方の位置に該通路４ｂを部分的に塞ぐほぼ水平な邪魔板10が設けられている。邪魔板10はその両端部に垂下片10ａが設けられている。これにより、強風雨時に逆止弁隙間からのしぶき等をも阻止出来る。尚、邪魔板10は図７（ａ）に示すように、上に凸に湾曲した形状で構成することでも良く、図７（ｂ）に示すように、中央部が折曲された形状であっても良く、図７（ｃ）に示すように楕円形状の半分からなるような形状であっても良い。
【００４３】
逆止弁となる羽根板５は、図４（ｂ）に示すように、板状で水排出口３ｂの上枠から支軸５ａにより回動自在に支持されて垂下し、通常時は閉状態で水流により開状態に遷移する。
【００４４】
水受入口３ａの下部には位置決め片11が突出されており、該位置決め片11の上面及び垂直部３ｃの背面には水受入口３ａ及びビス孔７を開口した状態で全面に弾性のある止水材12が貼着されている。
【００４５】
そして、図４に示すように、サッシ枠２の水受け部２ａの下面に止水材12を介して位置決め片11を当接させ、サッシ枠２の水抜き穴２ｂと水抜き部品３の水受入口３ａとを対面させてビス孔７にタッピングビス８を挿通してサッシ枠２に固定する。
【００４６】
位置決め片11を省略した場合には、採光用トップライト１の水抜き穴２ｂの開口部形状や採光用トップライト１の下部周辺の形状に柔軟に対応することが出来る。
【００４７】
また、逆止弁となる羽根板５から水受入口３ａに至るまでの垂直空間の通路４ｂに、水排出口３ｂの上方かつ水受入口３ａの下方の位置に該通路４ｂを部分的に塞ぐほぼ水平な邪魔板10を設けたことにより、ごみ詰まり等により羽根板５の動作が不完全な場合であっても該邪魔板10により強風時に雨水が水抜き穴２ｂから逆流することを防ぐことが出来る。
【００４８】
次に図８及び図９を用いて本発明に係る下枠の水抜き部品を笠木の下枠に適用した場合について説明する。図８（ａ）は花台14を載せるための腰壁15の天部に取り付けられた笠木13の下枠の両側に前記第２実施形態の水抜き部品３を取り付けた場合の一例を示し、図８（ｂ）は図８（ａ）の部分拡大図である。
【００４９】
図９（ａ）は図９（ｂ）に示す第３実施形態の水抜き部品３を腰壁15の天部に取り付けられた笠木13の下枠の両側に取り付けた場合の一例を示す。本実施形態の水抜き部品３は図９（ｂ）に示すように、垂直部３ｃの底板3c2が傾斜しており、水を水排出口３ｂに排出し易くしている。また、周囲の建物を構成する部品との納まりをし易くしている。
【産業上の利用可能性】
【００５０】
本発明の活用例として、鉄骨造や木造住宅等の建物の増改築時に屋根或いは屋上に設けられる採光用トップライトの水抜き部品に適用することが出来、サッシメーカから市販されている種々の採光用トップライトにも設置可能である。
【図面の簡単な説明】
【００５１】
【図１】本発明に係る下枠の水抜き部品を採光用トップライトの最下部に設けた様子を示す断面説明図である。
【図２】本発明に係る下枠の水抜き部品の構成を示す斜視説明図である。
【図３】本発明に係る下枠の水抜き部品の構成を示す断面説明図である。
【図４】（ａ）は本発明に係る下枠の水抜き部品の第２実施形態を採光用トップライトの最下部に設けた様子を示す断面説明図、（ｂ）は（ａ）の部分拡大図である。
【図５】本発明に係る下枠の水抜き部品の第２実施形態の構成を示す斜視説明図である。
【図６】本発明に係る下枠の水抜き部品の第２実施形態の構成を示す六面図である。
【図７】通路を部分的に塞ぐほぼ水平な邪魔板の他の構成を示す斜視図である。
【図８】（ａ）は花台を載せるための腰壁の天部に取り付けられた笠木の下枠の両側に第２実施形態の水抜き部品を取り付けた場合の一例を示す図、（ｂ）は（ａ）の部分拡大図である。
【図９】（ａ）は第３実施形態の水抜き部品を腰壁の天部に取り付けられた笠木の下枠の両側に取り付けた場合の一例を示す図、（ｂ）は第３実施形態の水抜き部品の構成を示す図である。
【符号の説明】
【００５２】
Ａ…下枠
１…採光用トップライト
２…サッシ枠
２ａ…水受け部
２ｂ…水抜き穴
３…水抜き部品
３ａ…水受入口
３ｂ…水排出口
３ｃ…垂直部
3c1…天面
3c2…底板
３ｄ…水平部
3d1…底面
3d2…天面
４，４ａ，４ｂ…通路
５…羽根板
５ａ…支軸
７…ビス孔
８…タッピングビス
９…当接部材
10…邪魔板
10ａ…垂下片
11…位置決め片
12…止水材
13…笠木
14…花台
15…腰壁
【図１】
2008121405.tif 000003
【図２】
2008121405.tif 000004
【図３】
2008121405.tif 000005
【図４】
2008121405.tif 000006
【図５】
2008121405.tif 000007
【図６】
2008121405.tif 000008
【図７】
2008121405.tif 000009
【図８】
2008121405.tif 000010
【図９】
2008121405.tif 000011